(57)【要約】【課題】視覚障害者が資源ゴミの廃棄場所を容易に識別することができるとともに、回収された資源ゴミの再資源化のための作業を容易に行うことができるように構成された分別収集容器を提供する。【解決手段】分別収集容器は、底壁と、その底壁の周縁に沿って立設された各一対の長側壁及び短側壁１４とより有底長四角筒状に形成された容器本体１１から構成されている。対向する一対の短側壁１４の外側面には表示部３６が設けられているうえ、その表示部３６には、資源ゴミの種類を示す文字３７と、その文字３７を翻訳した点字３８とが表示されている。この分別収集容器は、複数の容器本体１１をネスティング状態で上下に積み重ねたとき、上方に位置する容器本体１１に表示された点字３８が下方に位置する容器本体１１の上端縁よりも上方に位置するように構成されている。【選択図】　　　図１
2004091207.tif 000002
【特許請求の範囲】
【請求項１】
資源ゴミを収集するために使用される分別収集容器であって、
底壁と、その底壁の周縁に沿って立設された側壁とより有底筒状に形成された容器本体を備え、
前記容器本体の外側面又は上面に資源ゴミの種類を示す点字を表示するように構成したことを特徴とする分別収集容器。
【請求項２】
資源ゴミを収集するために使用される分別収集容器であって、
底壁と、その底壁の周縁に沿って立設された側壁とより有底筒状に形成された容器本体を備え、
前記容器本体の外側面に表示部を設けるとともに、
その表示部には、資源ゴミの種類を示す文字と、その文字を翻訳した点字とを表示するように構成したことを特徴とする分別収集容器。
【請求項３】
資源ゴミを収集するために使用される分別収集容器であって、
底壁と、その底壁の周縁に沿って立設された側壁とより有底筒状に形成された容器本体を備え、
前記容器本体の外側面に資源ゴミの種類を示す文字を表示するとともに、同容器本体の上面に前記資源ゴミの種類を示す点字を表示するように構成したことを特徴とする分別収集容器。
【請求項４】
前記側壁を上方ほど拡がるテーパ形状に形成し、下方に位置する容器本体の収容空間内に上方に位置する容器本体の底部を挿入することにより、複数の容器本体をネスティング状態で上下に積み重ねられるように構成するとともに、
複数の容器本体をネスティング状態で上下に積み重ねたとき、上方に位置する容器本体に表示された点字が、下方に位置する容器本体の上端縁よりも上方に位置するように構成したことを特徴とする請求項１から請求項３のいずれかに記載の分別収集容器。
【請求項５】
前記側壁の上端縁に沿って上部周縁フランジを設け、その上部周縁フランジの上面に前記資源ゴミの種類を示す点字を表示するとともに、その点字の上端を上部周縁フランジの上端面よりも下方に位置するように構成したことを特徴とする請求項１から請求項４のいずれかに記載の分別収集容器。
【請求項６】
前記点字の位置を触感により特定可能となるように構成した位置特定手段を設けたことを特徴とする請求項１から請求項５のいずれかに記載の分別収集容器。
【発明の詳細な説明】
【０００１】
【発明の属する技術分野】
この発明は、ビン、缶、ペットボトル等のリサイクル又は再利用可能な資源ゴミを分別しながら収集するために使用される分別収集容器に関するものである。より詳しくは、資源ゴミの種類を文字及び点字にて表示することにより、健常者及び視覚障害者が資源ゴミの廃棄場所を容易に識別することができるとともに、その収集作業を容易に行うことができるように構成された分別収集容器に関するものである。
【０００２】
【従来の技術】
従来より、この種の分別収集容器としては、長四角板状に形成された底壁と、その底壁の周縁に沿って立設された各一対の長側壁及び短側壁とから有底長四角筒状に形成された容器本体から構成された分別収集容器が知られている（非特許文献１参照）。さらに、この分別収集容器の対向する一対の短側壁の中央部外側面には、収集される資源ゴミの種類を表示するための表示部が設けられている。前記表示部には、「無色のビン」、「茶色のビン」、「その他のビン」、「缶」又は「ペットボトル」といった文字を凸版状に印刷することによって表示するようになっている。
【０００３】
【非特許文献１】
岐阜プラスチック工業（株）産業資材事業部、「２０００　マテリアル・ハンドリング・シリーズ　総合カタログ　コンテナー／パレット／物流機器」、岐阜プラスチック工業株式会社、平成１２年３月、ｐ．１８０
【０００４】
【発明が解決しようとする課題】
現在、市町村等で収集されている資源ゴミの種類は少なくとも数種類以上あり、それら資源ゴミの収集日はほとんどの場合重なっている。このため、資源ゴミの収集日には、同形状に形成された複数個の分別収集容器が同じ収集場所に敷き並べられており、一般の市町村民は各容器の表示部の文字を確認しながら分別した資源ゴミの廃棄を行っている。ところが、これらの分別収集容器の表示部には、資源ゴミの種類を示す文字のみが表示されているに止まっていたことから、視覚障害者にとっては各容器内に廃棄される資源ゴミの種類を識別するのが著しく困難であった。
【０００５】
また、近年、資源ゴミのリサイクル及び再利用に関する関心が一般の市町村民の間で高まっており、関心の高い市民団体やボランティア団体が回収された資源ゴミの再資源化のための奉仕活動を盛んに行っている。視覚障害者にとっても同様な関心からそれらの奉仕活動に参加する機会を望む声があるとともに、それらの作業を経済的自立のための生業として望む声もある。しかしながら、前記従来の分別収集容器では、前記表示部に文字のみが表示されていることが視覚障害者にとってのバリアーとなり、それらの作業に携わることを著しく困難にしている。
【０００６】
この発明は、上記のような従来技術に存在する問題点に着目してなされたものである。その目的とするところは、視覚障害者が資源ゴミの廃棄場所を容易に識別することができるとともに、回収された資源ゴミの再資源化のための作業を容易に行うことができるように構成された分別収集容器を提供することにある。
【０００７】
【課題を解決するための手段】
上記の目的を達成するために、請求項１に記載の発明の分別収集容器は、資源ゴミを収集するために使用される分別収集容器であって、底壁と、その底壁の周縁に沿って立設された側壁とより有底筒状に形成された容器本体を備え、前記容器本体の外側面又は上面に資源ゴミの種類を示す点字を表示するように構成したことを特徴とするものである。
【０００８】
請求項２に記載の発明の分別収集容器は、資源ゴミを収集するために使用される分別収集容器であって、底壁と、その底壁の周縁に沿って立設された側壁とより有底筒状に形成された容器本体を備え、前記容器本体の外側面に表示部を設けるとともに、その表示部には、資源ゴミの種類を示す文字と、その文字を翻訳した点字とを表示するように構成したことを特徴とするものである。
【０００９】
請求項３に記載の発明の分別収集容器は、資源ゴミを収集するために使用される分別収集容器であって、底壁と、その底壁の周縁に沿って立設された側壁とより有底筒状に形成された容器本体を備え、前記容器本体の外側面に資源ゴミの種類を示す文字を表示するとともに、同容器本体の上面に前記資源ゴミの種類を示す点字を表示するように構成したことを特徴とするものである。
【００１０】
請求項４に記載の発明の分別収集容器は、請求項１から請求項３のいずれかに記載の発明において、前記側壁を上方ほど拡がるテーパ形状に形成し、下方に位置する容器本体の収容空間内に上方に位置する容器本体の底部を挿入することにより、複数の容器本体をネスティング状態で上下に積み重ねられるように構成するとともに、複数の容器本体をネスティング状態で上下に積み重ねたとき、上方に位置する容器本体に表示された点字が、下方に位置する容器本体の上端縁よりも上方に位置するように構成したことを特徴とするものである。
【００１１】
請求項５に記載の発明の分別収集容器は、請求項１から請求項４のいずれかに記載の発明において、前記側壁の上端縁に沿って上部周縁フランジを設け、その上部周縁フランジの上面に前記資源ゴミの種類を示す点字を表示するとともに、その点字の上端を上部周縁フランジの上端面よりも下方に位置するように構成したことを特徴とするものである。
【００１２】
請求項６に記載の発明の分別収集容器は、請求項１から請求項５のいずれかに記載の発明において、前記点字の位置を触感により特定可能となるように構成した位置特定手段を設けたことを特徴とするものである。
【００１３】
【発明の実施の形態】
（第１実施形態）
以下、この発明を具体化した第１実施形態を図面に基づいて詳細に説明する。
【００１４】
図１〜図４に示すように、第１実施形態の第１の分別収集容器は、合成樹脂により有底長四角筒状に形成された容器本体１１を備え、その容器本体１１内部の収容空間内にビン、缶、ペットボトル等の分別された資源ゴミを収容することができるように構成されている。この容器本体１１は、長四角板状に形成された底壁１２と、その底壁１２の周縁に沿って立設された各一対の長側壁１３及び短側壁１４とを備えているうえ、その上部開口部には略長四角環状に形成された左右一対のスタッキング金具１５が設けられている。
【００１５】
底壁１２には、複数の水抜き孔が円孔状に貫設されており、ビン、缶、ペットボトル等の収容物内から漏れ出す水分を排出することができるようになっている。また、各一対の側壁１３，１４は、上方ほど僅かに拡がるテーパ形状に形成されており、下方に位置する容器本体１１の収容空間内に上方に位置する別の容器本体１１の底部を挿入することにより、複数の容器本体１１をネスティング状態で上下に積み重ねることができるように構成されている。これら側壁１３，１４の中央部には、多数の長孔が貫設されており、容器本体１１の軽量化が図られている。
【００１６】
各側壁１３，１４の上端部には、容器本体１１の外側方に延びるように突設された上下一対の上部周縁フランジ２１及び下部周縁フランジ２２が設けられている。上部周縁フランジ２１は、各側壁１３，１４の上端縁に沿って連続して延びるように形成されている。下部周縁フランジ２２は、上部周縁フランジ２１の僅かに下方に位置する各側壁１３，１４の上端部外側面から突設されている。
【００１７】
容器本体１１の各コーナ部には、横円筒状に形成された回動筒２６が設けられている。これら回動筒２６はいずれも、前記上下の周縁フランジ２１，２２間に位置するとともに長側壁１３側に開口するように固設されており、前記スタッキング金具１５の端部を回動可能に係入している。また、長側壁１３の両端部上方に位置する上部周縁フランジ２１の上面には、正面円弧状に切欠かれるように形成された各一対の係合凹部２７が穿設されている。
【００１８】
スタッキング金具１５は、表面にメッキ処理が施された鉄製の丸棒を折曲げることにより、一側部中央部が切断された略長四角環状（略Ｃ字状）に形成されている。このスタッキング金具１５の両端部は、前記対向する一対の回動筒２６内に回動可能に軸着されており、同スタッキング金具１５の他側部を短側壁１４上端部の上方及び外側方を跨ぐように回動させることができるように構成されている。このスタッキング金具１５の他側部両端部には、一対の折曲部３１が設けられており、これら折曲部３１によってスタッキング金具１５が図４に示されるように正面Ｌ字状となるように形成されている。
【００１９】
さらに、このスタッキング金具１５を容器本体１１の内方に回動させて図３に示される状態にしたとき、前記折曲部３１の外側方に位置するスタッキング金具１５の他側部両端部は、対向する両係合凹部２７の上面と当接されるようになっている。さらに、前記折曲部３１の内側方に位置するスタッキング金具１５の他側部中央部は、上方に位置する容器本体１１の底部を載置するための載置部３２となっている。加えて、図２に示すように、前記折曲部３１及び載置部３２は、容器本体１１底部（底壁１２及び長側壁１３の下端部）の外面形状に沿って形状に形成されている。
【００２０】
そして、この分別収集容器は、左右一対のスタッキング金具１５を容器本体１１の内方に回動させて係合凹部２７と当接させることによって、図３に示されるスタッキング可能な状態にすることができる。さらに、このスタッキング可能な状態の容器本体１１のスタッキング金具１５上に、別の容器本体１１の底部を載置することによって、複数の容器本体１１をスタッキング状態で上下に積み重ねることができるように構成されている。
【００２１】
図１に示すように、対向する一対の短側壁１４の外側面中央には、側面四角形状に縁取りされた表示部３６が設けられている。この表示部３６の中央部から下端部には、「ペットボトル」及び「○×市」の文字３７が凸版状に表示されている。また、表示部３６の上端部には、「ペットボトル」に相当する点字３８が凸版状に表示されている。これらの文字３７及び点字３８はいずれも、表示部３６の外壁面を僅かに外側方へと突出させることにより描出されている。なお、この表示部３６は、文字３７及び点字３８を凸版状に描出するための凹部が穿設された入れ子を、容器本体１１成形用の金型本体に対して挿脱可能に装着することによって射出成形されるように構成されている。
【００２２】
さらに、前記点字３８は、図１に示されるように複数の容器本体１１をネスティング状態で上下に積み重ねたとき、下方に位置する容器本体１１の上端縁よりも上方に位置するように構成されている。加えて、同ネスティング状態で積み重ねられた分別収集容器の各スタッキング金具１５の載置部３２は、前記文字３７と点字３８との中間高さに位置する短側壁１４の外側方に吊下されるように構成されている。また、前記表示部３６の上方に位置する短側壁１４の壁面には、側面長四角形状に形成された把持孔３９が貫設されており、容器本体１１を容易に把持することができるようになっている。
【００２３】
実施形態の第２の分別収集容器は、前記表示部３６に「無色のビン」を表す文字３７及び点字３８を表示した以外は、上記第１の分別収集容器と全く同じ構成を有している。第３の分別収集容器は、前記表示部３６に「茶色のビン」を表す文字３７及び点字３８を表示した以外は、上記第１の分別収集容器と全く同じ構成を有している。第４の分別収集容器は、前記表示部３６に「その他のビン」を表す文字３７及び点字３８を表示した以外は、上記第１の分別収集容器と全く同じ構成を有している。第５の分別収集容器は、前記表示部３６に「缶」を表す文字３７及び点字３８を表示した以外は、上記第１の分別収集容器と全く同じ構成を有している。
【００２４】
上記分別収集容器の作用について以下に記載する。
上記のように構成された第１〜第５の分別収集容器は、１種類ずつ合計５個が１組としてまとめて取り扱われる。即ち、資源ゴミの収集日の前日又は当日早朝には、これら５種類５個の分別収集容器は、ネスティング状態で上下に積み重ねられた状態で、運搬用車両により各収集場所に運搬して設置される。さて、これら各分別収集容器の容器本体１１は、左右一対のスタッキング金具１５が短側壁１４の外側方に吊下された状態で資源ゴミの収集場所に敷き並べられ、ビン、缶、ペットボトル等の各種資源ゴミを分別しながら収容する。
【００２５】
このとき、分別した資源ゴミを前記収集場所まで持参した視覚障害者は、各分別収集容器の両側部に吊下されているスタッキング金具１５を、ブラブラとした感触又は金属特有の触感を頼りに探り当てる。続いて、探り当てたスタッキング金具１５の僅かに上方に手を伸ばし、そのスタッキング金具１５と把持孔３９との間に位置する短側壁１４の外側面を触って表示部３６に表示されている点字３８を解読する。最後に、解読した点字３８の意味からその分別収集容器内に収容すべき資源ゴミの種類を識別して容器本体１１内に挿入する。
【００２６】
これら分別収集容器を収集場所から運搬用車両により回収する際には、まず、各分別収集容器の両側方に吊下されている一対のスタッキング金具１５を容器本体１１の内方に回動させて図３に示されるようなスタッキング可能な状態にする。続いて、これら分別収集容器を運搬用車両の荷台上にスタッキング状態で順次上方へと積み重ねた後、資源ゴミの回収施設へと運搬する。そして、この資源ゴミの回収施設で作業する視覚障害者は、各分別収集容器の表示部３６に表示された点字３８により、各容器本体１１内に収容されている資源ゴミの種類を識別しながら、回収された資源ゴミの再資源化のための作業を行う。
【００２７】
上記実施形態によって発揮される効果について、以下に記載する。
・　実施形態の分別収集容器は、長四角板状に形成された底壁１２と、その底壁１２の周縁に沿って立設された各一対の長側壁１３及び短側壁１４とより有底長四角筒状に形成された容器本体１１から構成されている。さらに、対向する一対の短側壁１４の外側面には表示部３６が設けられているうえ、その表示部３６には、資源ゴミの種類を示す文字３７と、その文字３７を翻訳した点字３８とが表示されている。このため、前記点字３８によって、視覚障害者が資源ゴミの廃棄場所を容易に識別することができるとともに、回収された資源ゴミの再資源化のための作業を容易に行うことができる。さらに、健常者と視覚障害者とが互いに協力し合いながら、回収された資源ゴミの再資源化のための作業を行うことも容易である。また、視覚障害者が缶の切り口等に不用意に触れるのを防止することができることから怪我の防止にも役立つ。
【００２８】
・　各側壁１３，１４を上方ほど僅かに拡がるテーパ形状に形成することによって、複数の容器本体１１をネスティング状態で上下に積み重ねることが可能であることから、収容物が収容されていない空の容器本体１１を小さくコンパクトに保管及び運搬することができる。さらに、この分別収集容器は、複数の容器本体１１をネスティング状態で上下に積み重ねたとき、上方に位置する容器本体１１に表示された点字３８が、下方に位置する容器本体１１の上端縁よりも上方に位置するように構成されている。このため、各容器本体１１内に収容すべき資源ゴミの種類をネスティング状態のままで外部から容易に識別することが可能であることから、資源ゴミの回収作業における作業性を著しく容易に高めることができる。
【００２９】
・　この分別収集容器は、容器本体１１の外側方にスタッキング金具１５を吊下させた状態において、表示部３６に表示されている文字３７と点字３８との中間位置にスタッキング金具１５の載置部３２が配置されるように構成されている。このため、前記スタッキング金具１５が外部から文字３７及び点字３８を識別するのを妨げることがない。
【００３０】
・　この分別収集容器は、容器本体１１の外側方にスタッキング金具１５を吊下させた状態において、スタッキング金具１５の載置部３２の僅かに上方位置に点字３８が表示されるように構成されている。このため、前記スタッキング金具１５を位置特定手段として利用することにより、点字３８の表示位置を触感のみによって極めて容易に特定することができる。特に、前記スタッキング金具１５は、容器本体１１の外側方において回動筒２６を中心にブラブラと自然に回動されるように吊下されていることから、手の感触又は杖を介した感触によりその存在を著しく容易に特定することができる。また、スタッキング金具１５を除いた容器本体１１は全て合成樹脂により構成されていることから、スタッキング金具１５特有の金属の触感により、その存在を著しく容易に特定することができる。また、前記スタッキング金具１５の位置特定手段としての作用効果は、図１に示されるように複数の容器本体１１をネスティング状態で上下に積み重ねたときでも全く同様に機能する。
【００３１】
・　この分別収集容器は、点字３８の僅かに上方位置に把持孔３９が特徴的に大きく開口されていることから、触感のみによって把持孔３９を探り当てるのが著しく容易である。このため、前記把持孔３９を位置特定手段として利用することにより、点字３８の表示位置を触感のみによって極めて容易に特定することができる。
【００３２】
さらに、この分別収集容器は、点字３８と上部周縁フランジ２１の外端部との間の距離が、親指の基端部と、中指又は人差し指の先端部（指紋が形成されている部位）との間の距離とほぼ同じになるように構成されている。即ち、この分別収集容器では、把持孔３９の上方に位置する短側壁１４の上端部を握り締めて運搬するときの手の位置を全く移動させることなく、中指や人差し指を下方に伸ばすことによって、点字３８に触れることができるようになっている。従って、この分別収集容器は、上部周縁フランジ２１（容器本体１１の上端部）、点字３８及びその中間に位置する把持孔３９の絶妙な位置関係を位置特定手段として利用することが可能であり、視覚障害者が点字３８を探す際の手間と時間を容易に低減させることができる。
【００３３】
・　この分別収集容器は、多数の長孔の特徴的な感触により、点字３８が表示されていない領域を容易に特定排除することができ、点字３８の表示位置を容易に特定することが可能となることから、これら長孔を位置特定手段として利用することができる。
【００３４】
（第２実施形態）
以下、第２実施形態を上記第１実施形態と異なる点を中心に説明する。
図５（ａ）に示すように、第２実施形態の第１の分別収集容器は、上部周縁フランジ２１の上面に上部表示部５１を設けたことと、表示部３６のデザインが若干異なること以外は、上記第１実施形態の容器本体１１と同様に構成されている。なお、この第２実施形態の第１の分別収集容器は、全体が茶色に着色されているうえ、表示部３６に「びん」及び「ちゃいろのびん」と表示されており、分別収集する容器包装の種類における茶色のびんを収集するために用いられる。
【００３５】
上部表示部５１は、容器本体１１の両側部中央に位置する上部周縁フランジ２１の上面に一対設けられている。即ち、これら上部表示部５１は、把持孔３９の上方（真上）に位置する上部周縁フランジ２１の上面に設けられている。図５（ｂ）に示すように、これら上部表示部５１は、上部周縁フランジ２１の上面を平面長四角形状に所定深さ（０．５〜１ｍｍ程度）凹設することによって形成された上部表示凹部５２と、その上部表示凹部５２の上面（奥面）に表示された点字５３とから構成されている。
【００３６】
前記点字５３は、所定のパターンとなるように配列された複数の半球状凸部５４を上部表示凹部５２の上面に突設することにより構成されており、これら半球状凸部５４の配列により「ちゃいろのびん」を意味するように構成されている。さらに、各半球状凸部５４の頂部５４ａは、上部周縁フランジ２１の上端面よりも下方に位置するように配設されており、各半球状凸部５４が擦れたり削れたりして点字５３の判別が困難になるのを容易に防止することができるようになっている。
【００３７】
一方、この第２実施形態の表示部３６は、短側壁１４の外側面中央部から外側方に突出するように構成された四角板状の台部６１を備えている。この台部６１の外側面中央部及び下端部には、その台部６１の外壁面を僅かに凹ませることによって、「びん」及び「Ｇｌａｓｓ　Ｂｏｔｔｌｅｓ　Ｏｎｌｙ」という文字６２と、びんを抽象化した絵柄６３とが描出され、容器包装廃棄物の収集に係る分別区分を表示している。
【００３８】
さらに、この台部６１の上端部には、同台部６１の外側面を側面長四角形状に所定深さ（０．５〜１ｍｍ程度）凹設することによって側部表示凹部６４が設けられている。この側部表示凹部６４の外側面（奥面）には、「ちゃいろのびん」という文字６５と、「ちゃいろのびん」を意味する点字６６とが表示されており、分別収集する容器包装の種類が表示されている。
【００３９】
前記点字６６は、上記点字５３と全く同様に、所定のパターンとなるように配列された複数の半球状凸部を側部表示凹部６４の外側面に突設することにより構成されているうえ、各半球状凸部の頂部は、台部６１の外端面よりも内側方に位置するように配設されている。さらに、前記文字６５は、台部６１の外壁面を僅かに外側方へと突出させることにより凸版状に描出されている。
【００４０】
なお、前記上部表示部５１は、点字５３を凸版状に描出させるための凹部が穿設された入れ子を、容器本体１１成形用の金型本体に対して挿脱可能に装着することによって射出成形されるように構成されている。前記表示部３６は、文字６２及び絵柄６３を凹ませて描出させるための凸部が形成された入れ子と、文字６５及び点字６６を凸版状に描出するための凹部が穿設された入れ子とを、それぞれ容器本体１１成形用の金型本体に対して挿脱可能に装着することによって射出成形されるように構成されている。
【００４１】
また、前記点字６６は、複数の容器本体１１をネスティング状態で上下に積み重ねたとき、下方に位置する容器本体１１の上端縁よりも上方に位置するように構成されている。加えて、同ネスティング状態で積み重ねられた分別収集容器の各スタッキング金具１５の載置部３２は、前記文字６２と点字６６との中間高さに位置する短側壁１４の外側方に吊下されるように構成されている。
【００４２】
第２実施形態の第２の分別収集容器は、全体が白色に着色されているうえ、上部表示部５１に「むしょくのびん」を表す点字５３を表示し、側部表示凹部６４に「むしょくのびん」を表す文字６５及び点字６６を表示した以外は、上記第１の分別収集容器と全く同じ構成を有している。第３の分別収集容器は、全体が黄色に着色されているうえ、上部表示部５１に「そのたのびん」を表す点字５３を表示し、側部表示凹部６４に「そのたのびん」を表す文字６５及び点字６６を表示した以外は、上記第１の分別収集容器と全く同じ構成を有している。
【００４３】
第４の分別収集容器は、全体が青色に着色されているうえ、上部表示部５１に「かん」を表す点字５３が表示されている。さらに、台部６１の中央部及び下端部には、「かん」及び「Ｃａｎｓ　Ｏｎｌｙ」という文字６２と、かんを抽象化した絵柄６３とが描出され、側部表示凹部６４に「かん」を表す文字６５及び点字６６を表示した以外は、上記第１の分別収集容器と全く同じ構成を有している。
【００４４】
第５の分別収集容器は、全体が緑色に着色されているうえ、上部表示部５１に「ぺっとぼとる」を表す点字５３が表示されている。さらに、台部６１の中央部及び下端部には、「ペットボトル」及び「ＰＥＴ　Ｂｏｔｔｌｅｓ　Ｏｎｌｙ」という文字６２と、ペットボトルを抽象化した絵柄６３とが描出され、側部表示凹部６４に「ぺっとぼとる」を表す文字６５及び点字６６を表示した以外は、上記第１の分別収集容器と全く同じ構成を有している。
【００４５】
上記第２実施形態によって発揮される効果について、以下に記載する。
・　第２実施形態の分別収集容器は、上記第１実施形態と同じ効果を発揮するとともに、上部周縁フランジ２１の上面に点字５３が表示されていることから、容器本体１１の上端縁（上部周縁フランジ２１）を位置特定手段として容易に利用することができる。
【００４６】
加えて、前記点字５３（上部表示部５１）が把持孔３９の上方（真上）位置に設けられていることから、把持孔３９を位置特定手段として利用することができ、視覚障害者にとって点字５３の位置を探すのがより一層容易である。特に、把持孔３９の真上に設けられた点字５３は、把持孔３９の上方に位置する短側壁１４の上端部を握り締めて運搬する直前及び運搬直後に、親指の先端部（指紋が形成されている部位）が最も触れやすい位置である。
【００４７】
・　点字５３を構成する半球状凸部５４の頂部５４ａが上部周縁フランジ２１の上端面よりも下方に位置するように構成されている、即ち点字５３全体が上部表示凹部５２内に完全に収容されていることから、点字５３の頂部５４ａが擦れたり削れたりしにくい。なお、点字６６についても全く同様である。
【００４８】
・　上部表示凹部５２及び側部表示凹部６４が点字５３，６６の周囲を完全に取り囲んでいることから、それら表示凹部５２，６４の外周縁に設けられた段差を位置特定手段として利用することができる。このため、視覚障害者が点字５３，６６の位置を容易に探し当てることができるうえ、点字５３，６６を解読する際の文字の初めと終わりの位置（フレーム）を容易かつ確実に特定することができる。また、点字６６は、短側壁１４の外側面から僅かに外側方へと突出した台部６１の外側面に設けられていることから、台部６１を位置特定手段として利用することもできる。
【００４９】
・　第２実施形態の第１〜第５の分別収集容器は、それぞれ異なった色彩に着色されていることから、健常者にとっての各種容器の判別（容器包装廃棄物の収集に係る分別区分及び分別収集する容器包装の種類）も容易に行うことができる。
【００５０】
なお、本実施形態は、次のように変更して具体化することも可能である。
・　文字３７の近傍に、ビン、缶又はペットボトルを抽象化した絵柄（マーク）を凸版状に表示させること。
【００５１】
・　文字３７を凸版状に表示する代わりに、凹部として表示しても構わない。即ち、表示部３６の外壁面を僅かに内側方へと陥没させて文字３７を描出させるように構成すること。
【００５２】
・　表示部３６の表面に文字３７及び点字３８が印刷された表示シールを貼着してもよい。なお、前記表示シールの点字３８は凸版状に印刷されている。また、前記表示シールは、文字３７が印刷された文字シールと、点字３８が印刷された点字シールとの２枚のシールに分割するように構成されていても構わない。
【００５３】
・　上端部に四角枠状に形成された口枠を備えた有底四角筒状の容器本体から構成される折り畳み式運搬用容器の側壁（好ましくは対向する一対の短側壁）又は口枠の外側面に表示部３６を設けること。
【００５４】
・　スタッキング金具１５の外面に点字３８を表示してもよい。なおこのとき、前記点字３８は、容器本体１１の外側面又は上面に表示されるようになっている。
【００５５】
・　スタッキング金具１５、長孔又は把持孔３９を省略しても構わない。
・　長側壁１３の外側面に表示部３６を設けること。なおこのとき、短側壁１４の外側面に設けられた表示部３６を省略しても構わない。
【００５６】
・　容器本体１１を有底円筒状又は有底楕円筒状に形成してもよい。
・　上部表示凹部５２及び点字５３からなる上部表示部５１を、把持孔３９の上方に位置する短側壁１４の内側面にも設けてもよい。
【００５７】
・　第２実施形態の分別収集容器において、短側壁１４の外側面に設けられた点字６６を省略してもよい。このように構成した場合でも、上部周縁フランジ２１の上面に設けられた点字５３により、視覚障害者が資源ゴミの廃棄場所を容易に識別することができるとともに、回収された資源ゴミの再資源化のための作業を容易に行うことができる。
【００５８】
・　文字３７、文字６２又は文字６５を省略しても構わない。さらにこのとき、絵柄６３を省略しても構わない。このように構成した場合でも、視覚障害者が資源ゴミの廃棄場所を容易に識別することができるとともに、回収された資源ゴミの再資源化のための作業を容易に行うことができる。また、健常者は容器本体１１内の資源ゴミ又は容器本体１１の色により資源ゴミの種類を特定することが可能である。
【００５９】
本発明とは関係ないが、上記第２実施形態の分別収集容器において、表示部３６を省略するとともに、上部表示凹部５２及び点字５３からなる上部表示部５１を、上部周縁フランジ２１の上面に設ける代わりに、把持孔３９の上方に位置する短側壁１４の内側面に設けてもよい。資源ゴミを収集するために使用される分別収集容器であって、底壁と、その底壁の周縁に沿って立設された側壁とより有底筒状に形成された容器本体を備え、前記容器本体の内側面に資源ゴミの種類を示す点字を表示するように構成したことを特徴とする分別収集容器。このように構成した場合でも、視覚障害者が資源ゴミの廃棄場所を容易に識別することができるとともに、回収された資源ゴミの再資源化のための作業を容易に行うことができる。
【００６０】
さらに、前記実施形態より把握できる技術的思想について以下に記載する。
・　資源ゴミを収集するために使用される分別収集容器であって、底壁と、その底壁の周縁に沿って立設された側壁とより有底筒状に形成された容器本体を備え、前記容器本体の外側面又は上端面に資源ゴミの種類を示す点字を表示するように構成したことを特徴とする分別収集容器。このように構成した場合、視覚障害者が資源ゴミの廃棄場所を容易に識別することができるとともに、回収された資源ゴミの再資源化のための作業を容易に行うことができる。
【００６１】
・　前記側壁を上方ほど拡がるテーパ形状に形成し、下方に位置する容器本体の収容空間内に上方に位置する容器本体の底部を挿入することにより、複数の容器本体をネスティング状態で上下に積み重ねられるように構成するとともに、複数の容器本体をネスティング状態で上下に積み重ねたとき、上方に位置する容器本体に表示された点字が、下方に位置する容器本体の上端縁よりも上方に位置するように構成したことを特徴とする請求項２に記載の分別収集容器。
【００６２】
・　容器本体の上端部に対向する一対のスタッキング金具を回動可能に軸着し、両スタッキング金具を容器本体の内方に回動して容器本体の上端縁と当接させることにより、複数の容器本体をスタッキング状態で上下に積み重ねられるように構成するとともに、前記スタッキング金具を容器本体の外方に回動させたとき、そのスタッキング金具の中央部が文字と点字との中間高さに配置されるように構成し、そのスタッキング金具によって前記位置特定手段を構成したことを特徴とする請求項６に記載の分別収集容器。
【００６３】
・　容器本体の上端部に対向する一対のスタッキング金具を回動可能に軸着し、両スタッキング金具を容器本体の内方に回動して容器本体の上端縁と当接させることにより、複数の容器本体をスタッキング状態で上下に積み重ねられるように構成するとともに、前記スタッキング金具を容器本体の外方に回動させたとき、そのスタッキング金具の中央部が点字の真下近傍位置に配置されるように構成し、そのスタッキング金具によって前記位置特定手段を構成したことを特徴とする請求項６に記載の分別収集容器。
【００６４】
・　前記点字の真上近傍位置に把持孔を開口させ、その把持孔によって前記位置特定手段を構成したことを特徴とする請求項６に記載の分別収集容器。
・　前記表示部の周囲に多数の長孔を貫設し、その長孔によって前記位置特定手段を構成したことを特徴とする請求項６に記載の分別収集容器。このように構成した場合、多数の長孔の特徴的な感触により、点字が表示されていない領域を容易に特定排除することができることから、点字の表示位置を容易に特定することが可能となる。
【００６５】
・　容器本体を有底長四角筒状に形成するとともに、対向する一対の短側壁の外側面に表示部を設けたことを特徴とする請求項２及び請求項４から請求項６のいずれかに記載の分別収集容器。
【００６６】
・　対向する一対の側壁上端部に把持孔を開口させるとともに、その把持孔の真上又は真下位置に前記点字を表示するように構成し、その把持孔によって前記位置特定手段を構成したことを特徴とする請求項６に記載の分別収集容器。
【００６７】
・　前記点字の周囲に段差を設け、その段差によって前記位置特定手段を構成したことを特徴とする請求項６に記載の分別収集容器。
・　前記点字を凸版状に形成したことを特徴とする請求項１から請求項６のいずれかに記載の分別収集容器。
【００６８】
・　資源ゴミを収集するために使用される分別収集容器であって、底壁と、その底壁の周縁に沿って立設された側壁とより有底筒状に形成された容器本体を備え、前記側壁を上方ほど拡がるテーパ形状に形成し、下方に位置する容器本体の収容空間内に上方に位置する容器本体の底部を挿入することにより、複数の容器本体をネスティング状態で上下に積み重ねられるように構成し、容器本体の上端部には対向する一対のスタッキング金具を回動可能に軸着し、両スタッキング金具を容器本体の内方に回動して容器本体の上端縁と当接させることにより、複数の容器本体をスタッキング状態で上下に積み重ねられるように構成するとともに、前記容器本体の外側面に表示部を設け、その表示部には、資源ゴミの種類を示す文字と、その文字を翻訳した点字とを表示するように構成したことを特徴とする分別収集容器。このように構成した場合、視覚障害者が資源ゴミの廃棄場所を容易に識別することができるとともに、回収された資源ゴミの再資源化のための作業を容易に行うことができる。
【００６９】
・　資源ゴミを収集するために使用される分別収集容器であって、底壁と、その底壁の周縁に沿って立設された側壁とより有底筒状に形成された容器本体を備え、前記側壁を上方ほど拡がるテーパ形状に形成し、下方に位置する容器本体の収容空間内に上方に位置する容器本体の底部を挿入することにより、複数の容器本体をネスティング状態で上下に積み重ねられるように構成し、容器本体の上端部には対向する一対のスタッキング金具を回動可能に軸着し、両スタッキング金具を容器本体の内方に回動して容器本体の上端縁と当接させることにより、複数の容器本体をスタッキング状態で上下に積み重ねられるように構成するとともに、前記容器本体の外側面に表示部を設け、その表示部には、資源ゴミの種類を示す文字と、その文字を翻訳した点字とを表示するように構成し、さらに複数の容器本体をネスティング状態で上下に積み重ねたとき、上方に位置する容器本体に表示された点字が、下方に位置する容器本体の上端縁よりも上方に位置するように構成するとともに、前記表示部に表示された点字の位置を触感により特定可能となるように構成した位置特定手段を設けたことを特徴とする分別収集容器。このように構成した場合、視覚障害者が資源ゴミの廃棄場所を容易に識別することができるとともに、回収された資源ゴミの再資源化のための作業を容易に行うことができる。
【００７０】
【発明の効果】
以上詳述したように、この発明によれば、次のような効果を奏する。
請求項１から請求項６に記載の発明の分別収集容器によれば、視覚障害者が資源ゴミの廃棄場所を容易に識別することができるとともに、回収された資源ゴミの再資源化のための作業を容易に行うことができる。
【図面の簡単な説明】
【図１】第１実施形態のネスティング状態の分別収集容器を示す側面図。
【図２】第１実施形態の一部を破断した分別収集容器を示す側面図。
【図３】第１実施形態の分別収集容器を示す平面図。
【図４】第１実施形態の一部を破断した分別収集容器を示す正面図。
【図５】（ａ）は第２実施形態の分別収集容器の一部を示す斜視図、（ｂ）は図５（ａ）の５ｂ−５ｂ線から見た分別収集容器を示す部分拡大正断面図。
【符号の説明】
１１…容器本体、１２…底壁、１３…側壁としての長側壁、１４…側壁としての短側壁、１５…位置特定手段としてのスタッキング金具、２１…上部周縁フランジ、３６…表示部、３７…文字、３８…点字、３９…位置特定手段としての把持孔、５２…位置特定手段としての上部表示凹部、５３…点字、５４…点字を構成する半球状凸部、５４ａ…点字の上端を構成する頂部、６１…位置特定手段としての台部、６２…文字、６４…位置特定手段としての側部表示凹部、６５…文字、６６…点字。
【図１】
2004091207.tif 000003
【図２】
2004091207.tif 000004
【図３】
2004091207.tif 000005
【図４】
2004091207.tif 000006
【図５】
2004091207.tif 000007